(57)【要約】【課題】レンズカバー等に孔を空けたり、前扉に放熱フィンやファンを設置したりすることなく、電子基板の排熱を可能とした遊技機を提供する。【解決手段】前扉４のフレーム部材４１に貫通孔４４を設けるとともに、フレーム部材４１の後面側に取り付けられる補強板３０に前方へ突出する当接段部３１を設け、貫通孔４４を介して当接段部３１がフレーム部材４１の前面側へ突出するように補強板３０を取り付けた。また、当接段部３１の前面を覆うように排熱シート３５を貼着するとともに、当該排熱シート３５を覆うようにランプ基板４２を設置し、排熱シート３５を介してランプ基板４２と補強板３０とを接触させた。【選択図】図１０
2018015593.tif 000002
【特許請求の範囲】
【請求項１】
遊技機本体を支持する機枠に、前記機枠の前側を開閉する前扉が取り付けられているとともに、前記前扉の前面側に、複数のＬＥＤが搭載されたランプ基板が設置された遊技機であって、
前記前扉における前記ランプ基板の後方となる位置に、前記前扉を補強するための金属製の補強手段が取り付けられているとともに、前記補強手段に、前方へ突出して前記ランプ基板に当接する当接部が設けられていることを特徴とする遊技機。
【請求項２】
遊技機本体を支持する機枠に、前記機枠の前側を開閉する前扉が取り付けられているとともに、前記前扉の前面側に、複数のＬＥＤが搭載されたランプ基板が設置された遊技機であって、
前記前扉における前記ランプ基板の後方となる位置に、前記前扉を補強するための金属製の補強手段が取り付けられているとともに、前記補強手段に、前記ランプ基板に当接する熱伝導性樹脂を含んだ排熱用手段が備えられていることを特徴とする遊技機。
【発明の詳細な説明】
【技術分野】
【０００１】
本発明は、たとえばパチンコ機等といった遊技機に関するものである。
【背景技術】
【０００２】
従来、遊技機の一形態であるパチンコ機では、ＬＥＤを搭載した発光基板等といった多数の電子基板が設置されている。そして、そのような電子基板は、ガラス板を支持する前扉の周縁部等にも設置されている。そのため、たとえば発光基板を前扉に設置するとなると、発光基板に搭載されているＩＣやアンプが生じる熱を前扉外（たとえばパチンコ機の上方や後方）へ逃がすための排熱構造を前扉に設ける必要がある。
そして、たとえば特許文献１に記載のパチンコ機では、発光基板の前方を覆うレンズカバーに通気口を開設し、当該通気口を介して発光基板が生じる熱をパチンコ機の上方へ排熱するようにしている。また、電子基板に放熱フィンを搭載するといった構成も従来周知である。さらに、電子基板が生じる熱を逃がすための構造ではないものの、たとえば特許文献２に記載されているように、排熱用のファンを取り付けるといった構造も考案されている。
【先行技術文献】
【特許文献】
【０００３】
【特許文献１】特開平９−７１５号公報
【特許文献２】特開２００８−１６１２１４号公報
【発明の概要】
【発明が解決しようとする課題】
【０００４】
しかしながら、レンズカバーに通気口等の孔を開設すると、当該孔を介してピアノ線をパチンコ機内部へ進入させる等の不正行為を働かれるおそれがあり、防犯性という点で問題が生じる。また、放熱フィンやファンを取り付けるとなると、それらの設置スペースを確保しなければならず、発光基板の数が少なくなる、スピーカ等の他の部材を小型化しなければならないといった問題が生じる。
【０００５】
そこで、本発明は、上記問題に鑑みなされたものであって、レンズカバー等に孔を空けたり、前扉に放熱フィンやファンを設置したりすることなく、電子基板の排熱を可能とした遊技機を提供しようとするものである。
【課題を解決するための手段】
【０００６】
上記目的を達成するために、本発明のうち請求項１に記載の発明は、遊技機本体を支持する機枠に、前記機枠の前側を開閉する前扉が取り付けられているとともに、前記前扉の前面側に、複数のＬＥＤが搭載されたランプ基板が設置された遊技機であって、前記前扉における前記ランプ基板の後方となる位置に、前記前扉を補強するための金属製の補強手段が取り付けられているとともに、前記補強手段に、前方へ突出して前記ランプ基板に当接する当接部が設けられていることを特徴とする。
また、上記目的を達成するために、本発明のうち請求項２に記載の発明は、遊技機本体を支持する機枠に、前記機枠の前側を開閉する前扉が取り付けられているとともに、前記前扉の前面側に、複数のＬＥＤが搭載されたランプ基板が設置された遊技機であって、前記前扉における前記ランプ基板の後方となる位置に、前記前扉を補強するための金属製の補強手段が取り付けられているとともに、前記補強手段に、前記ランプ基板に当接する熱伝導性樹脂を含んだ排熱用手段が備えられていることを特徴とする。
【発明の効果】
【０００７】
本発明によれば、前扉におけるランプ基板の後方となる位置に、前扉を補強するための金属製の補強手段を取り付けているとともに、補強手段に、前方へ突出してランプ基板に当接する当接部を設けたり（請求項１）、ランプ基板に当接する熱伝導性樹脂を含んだ排熱用手段を備えたり（請求項２）している。したがって、従来の如くたとえばレンズカバー等に孔を開設したりすることなく、電子基板で生じる熱を補強手段を介して前扉外へ排熱することができ、防犯性が損なわれたりしない。また、放熱フィンやファンを設置する必要もない上、前扉を補強するための補強手段を排熱構造としても利用するという合理的な構成となっているため、設置スペースに係る問題も生じないし、部品点数の削減及びコスト低減を図ることができる。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】前扉を後方から示した斜視説明図であり、補強板が取り付けられた状態にある。
【図５】前扉を後方から示した斜視説明図であり、補強板は取り外された状態にある。
【図６】補強板を前方から示した斜視説明図である。
【図７】フレーム部材を前方から示した斜視説明図である。
【図８】排熱シートを取り付けた状態にあるフレーム部材を前方から示した斜視説明図である。
【図９】ランプ基板を設置した状態にあるフレーム部材を前方から示した斜視説明図である。
【図１０】前扉の上部における断面を示した説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を嵌め込み設置してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字からなる装飾図柄やキャラクター等を表示するための演出用表示部６が設けられている。さらに、演出用表示部６を囲むように電動役物７０等を備えたセンター部材２６が遊技盤２に設置されており、該センター部材２６の下方には、遊技球が入賞可能な始動入賞口１９が設けられている。また、センター部材２６の左方には、遊技球が流下可能な左打ち用スペースＳＬが形成されており、左打ち用スペースＳＬを流下する遊技球に限り、始動入賞口１９へ入賞し得るようになっている。
【００１２】
一方、センター部材２６の右方にも遊技球が流下可能な右打ち用スペースＳＲが形成されている。また、該右打ち用スペースＳＲには、遊技球が通過可能なゲート部材２０と、動作可能な舌片（図示せず）を備えた始動入賞役物１７とが設けられている。該始動入賞役物１７は、舌片の作動に伴い、内蔵された入賞口（図示せず）への遊技球の入賞を可能とする開状態と、入賞口への遊技球の入賞を不可能とする閉状態との何れか一方の状態へ変化するようになっている。さらに、右打ち用スペースＳＲの下部（センター部材２６の下方で、始動入賞口１９の右側となる位置）には、開閉可能な扉部材を有する２つの大入賞アタッカー１８ａ、１８ｂが設置されている。そして、遊技球を左打ち用スペースＳＬではなく右打ち用スペースＳＲを流下させることにより、ゲート部材２０を通過させたり、開状態にある始動入賞役物１７へ入賞させたり、さらには開成した大入賞アタッカー１８ａ、１８ｂへ効率良く入賞させることができる。なお、センター部材２６の左右を問わず、遊技領域１６の略全面には多数の遊技釘（図示せず）が植設されている。また、遊技領域１６外となる遊技盤２の右下部には、特別図柄を表示するための７セグメント表示器からなる特別図柄表示部（図示せず）が設けられている。
【００１３】
また、機枠３の前面側であって上記遊技盤２の下方には、遊技球を発射装置１０へ供給するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な押しボタン２５が設けられている。
さらに、前扉４の上部には、効果音や各種メッセージ等を報音する一対のスピーカ１４、１４が設けられている。加えて、前扉４の上部には、パチンコ機１の遊技状態等に応じて点灯・点滅する複数のＬＥＤを内蔵したランプ部材１５Ａが設けられており、前扉４の側部にも、同様のランプ部材１５Ｂ、１５Ｂが設けられている。
【００１４】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置（図示せず）、演出用表示部６における表示動作等を制御する表示制御装置（図示せず）、ランプ部材１５Ａ、１５Ｂの点灯／点滅動作等を制御する発光制御装置（図示せず）、スピーカ１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１５】
以上のようなパチンコ機１では、遊技者はハンドル９を回動操作して発射装置１０を作動させ、発射通路１３を介して遊技球を遊技領域１６内へ打ち込み、まずは左打ち用スペースＳＬを流下させて始動入賞口１９への遊技球の入賞を狙う。そして、遊技球の入賞検知に起因して実行される所謂大当たり抽選の結果が「大当たり」になると、特別図柄表示部及び演出用表示部６に夫々所定の「大当たり図柄」が確定表示される（たとえば、演出用表示部６に「７、７、７」と確定表示させる）。また、「大当たり図柄」が確定表示されると、大入賞装置１８ａ、１８ｂの扉部材を所定回数にわたって断続的に開成させるといった所謂「大当たり状態」が生起する。そこで、遊技者は、右打ち用スペースＳＲを流下させる「右打ち」を行い、断続的に開成する大入賞アタッカー１８ａ、１８ｂへの遊技球の入賞を狙う。
【００１６】
また、大当たり状態終了後、特別図柄表示部での図柄の確定表示回数が所定回数に達するまで、始動入賞役物１７が頻繁に開状態となる所謂時短状態が生起する。そこで、遊技者は、当該時短状態が終了するまで「右打ち」を継続して、ゲート部材２０への遊技球の通過、及び始動入賞役物１７への遊技球の入賞を狙う。そして、図柄の確定表示回数が所定回数に達して時短状態が終了すると、「右打ち」を止めて左打ち用スペースＳＬを流下させる上記遊技へと戻る。また、このような一連の遊技において、ランプ部材１５Ａ、１５Ｂは、サブ制御装置による制御のもと、遊技の状況に応じた種々の態様で点灯／点滅する。
【００１７】
（前扉のランプ部材における排熱構造）
ここで、本発明の要部となる前扉４のランプ部材１５Ａにおける排熱構造について詳細に説明する。
図４は、前扉４を後方から示した斜視説明図であり、補強板３０が取り付けられた状態にある。図５は、前扉４を後方から示した斜視説明図であり、補強板３０は取り外された状態にある。図６は、補強板３０を前方から示した斜視説明図である。図７は、フレーム部材４１を前方から示した斜視説明図である。図８は、図７のフレーム部材４１に排熱シート３５を取り付けた状態を示した斜視説明図である。図９は、図８のフレーム部材４１にランプ基板４２を設置した状態を示した斜視説明図である。図１０は、前扉４の上部における断面を示した説明図である。
【００１８】
前扉４は、略四角形枠状に形成されたフレーム部材４１を有してなり、当該フレーム部材４１における上辺部の前面側に、スピーカ１４、１４が設置されているとともに、ＩＣやアンプ、複数のＬＥＤ（図示せず）等が搭載されたランプ基板４２、及びランプ基板４２の前方を覆うように組み付けられるレンズカバー４３を備えたランプ部材１５Ａが設置可能となっている。また、フレーム部材４１の上辺部における左右方向での略中央には、貫通孔４４が設けられており、ランプ基板４２を設置した際、該貫通孔４４の前方にランプ基板４２が位置するようになっている。
【００１９】
一方、フレーム部材４１の上辺部の後面側には、当該上辺部を補強するための金属製の補強板３０がネジ止め可能となっている。補強板３０は、左右方向に長い帯状に形成されており、左右方向での略中央には、前方へ突出する当接段部３１が一体成形により設けられている。この当接段部３１の上下方向での幅及び左右方向での幅は、貫通孔４４の上下方向での幅及び左右方向での幅より狭く、且つ、当接段部３１の前後方向での突出量は、フレーム部材４１の上辺部における貫通孔４４の位置での厚み（前後方向での厚み）よりも大きくなっている。そして、補強板３０をフレーム部材４１の後面側に取り付けた際、当接段部３１が貫通孔４４を介してフレーム部材４１の前面側へ突出するようになっている。また、当接段部３１の左右両側には、ランプ基板４２に設けられたコネクタを露出させるためのコネクタ用孔３２、３２が設けられている。
【００２０】
なお、フレーム部材４１の中央に設けられた大開口４５は、遊技盤２の遊技領域１６を視認可能に露出させるためのものである。また、フレーム部材４１の左右側辺部の前面側には、夫々ランプ部材１５Ｂが設置可能となっている。さらに、フレーム部材４１の左側部（後方から見て）の後面側には、前扉４を機枠３に対して閉塞した状態で維持するための錠機構４６が設けられている。さらにまた、フレーム部材４１の下辺部の前面側には供給皿７等が、後面側には発射装置１０等が夫々設置可能となっている。加えて、４７は、ガラス板４Ａを保持するための保持爪である。
【００２１】
そして、前扉４を組み立てるにあたっては、上述の如くフレーム部材４１の上辺部の後面側に補強板３０をネジ止めする。すると、当接段部３１が、貫通孔４４を介してフレーム部材４１の前面側へ突出した状態となる（図７）。そこで、当接段部３１の前面に接触した状態で、当接段部３１の前面及び貫通孔４４の前方を覆うように、熱伝導率に優れた熱伝導性樹脂を含む排熱シート３５を貼着する（図８）。該排熱シート３５は、当接段部３１の前面よりも面積の広いシート体であり、当接段部３１の前面よりも広い範囲から熱を効率良く当接段部３１へ伝えることができるようになっている。その後、後面が排熱シート３５の前面に当接した状態で、排熱シート３５の前面を覆うようにランプ基板４２を設置する（図９）。すなわち、排熱シート３５を介してランプ基板４２と補強板３０とを接触させる。そして、レンズカバー４３を設置したり、スピーカ１４を始めとした他の部材を組み付けることにより、前扉４の組み立ては完了となる。
【００２２】
（本実施形態のパチンコ機による効果）
以上のような構成を有するパチンコ機１では、前扉４のフレーム部材４１に貫通孔４４を設けるとともに、フレーム部材４１の後面側に取り付けられる補強板３０に前方へ突出する当接段部３１を設け、貫通孔４４を介して当接段部３１がフレーム部材４１の前面側へ突出するように補強板３０を取り付けている。また、当接段部３１の前面を覆うように排熱シート３５を貼着するとともに、当該排熱シート３５を覆うようにランプ基板４２を設置し、排熱シート３５を介してランプ基板４２と補強板３０とを接触させている。そのため、ＬＥＤを点灯／点滅させることでランプ基板４２のＩＣやアンプに熱が生じるものの、当該熱は排熱シート３５を介して補強板３０へ伝わり、補強板３０からパチンコ機１の後方や上方、すなわち前扉４外へ排熱されることになる。したがって、従来の如く、レンズカバーに孔を開設することなくランプ基板４２で生じる熱を排熱することができ、防犯性が損なわれたりしない。また、放熱フィンやファンを設置する必要もない上、補強板３０を排熱構造としても利用するという合理的な構成となっているため、設置スペースに係る問題も生じないし、部品点数の削減及びコスト低減を図ることができる。
【００２３】
さらに、当接段部３１の前面よりも面積の広い排熱シート３５を、ランプ基板４２と補強板３０との間に介在させているため、広い範囲から熱を効率良く当接段部３１へ伝えることができる。その上、当接段部３１とランプ基板４２との間接的な接触状態を安定させることができ、一層効率の良い排熱を実現することができる。
【００２４】
（本発明の変更例について）
なお、本発明の遊技機に係る構成は、上記実施形態に何ら限定されるものではなく、遊技機全体の構成は勿論、補強板やフレーム部材等の排熱構造に係る構成についても、本発明の趣旨を逸脱しない範囲で必要に応じて適宜変更可能である。
【００２５】
たとえば、上記実施形態では、前扉の上部に設けたランプ部材における排熱構造について説明しているが、前扉の左右両側部に設けたランプ部材の排熱構造についても、同様の構造を採用することは当然可能であるし、前扉の前面側に電子基板が設置されてさえいれば、排熱構造を適用する対象はランプ部材に何ら限定されることはない。
また、上記実施形態では、電子基板と補強手段との間に熱伝導性樹脂を含む排熱用手段を介在させているが、補強手段の当接部を直接電子基板に当接させるようにしてもよい。
【００２６】
さらに、補強板を電子基板のどこに当接させるかについては適宜設計変更可能であるが、電子基板上で熱を発しやすいＩＣやアンプの裏面や周囲に当接させたり、当該ＩＣやアンプに直接当接させるようにすると高い排熱効果を期待することができる。
さらにまた、上記実施形態では、補強手段に当接部を一体成形しているが、別体成形した当接部を補強手段に取り付けてもよい（たとえば、一枚板状の補強板の前面に、熱伝導性樹脂を含んだブロック状の排熱用手段を固定する等の構成が考えられ、当該構成は、補強手段に、貫通孔を介して前扉の前面側に突出し、電子基板に直接当接する当接部を設けた構成に含まれる）。
【００２７】
加えて、上記実施形態では、遊技機の一例であるパチンコ機について説明しているが、本発明は、たとえば封入式パチンコ機等といった他の遊技機に対しても当然適用可能である。
なお、特許請求の範囲、明細書および図面に記載される全ての要素（例えば、電子基板、補強手段、貫通孔、当接部、排熱用手段等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、全ての要素のうちの複数の要素を適宜一体的に構成するか、もしくはひとつの要素を複数の要素に分けて構成するかは、敢えて特許請求の範囲等において特定していない限り、何れも当業者であれば容易に考えられる事項である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００２８】
１・・パチンコ機（遊技機）、２・・遊技盤、３・・機枠、４・・前扉、１５Ａ・・ランプ部材、３０・・補強板（補強手段）、３１・・当接段部（当接部）、３５・・排熱シード（排熱用手段）、４１・・フレーム部材、４２・・ランプ基板（電子基板）、４３・・レンズカバー、４４・・貫通孔。
【図１】
2018015593.tif 000003
【図２】
2018015593.tif 000004
【図３】
2018015593.tif 000005
【図４】
2018015593.tif 000006
【図５】
2018015593.tif 000007
【図６】
2018015593.tif 000008
【図７】
2018015593.tif 000009
【図８】
2018015593.tif 000010
【図９】
2018015593.tif 000011
【図１０】
2018015593.tif 000012